(57)【要約】【課題】上面を各人の足裏面の凹凸形状に形成するインソールを簡易な手段で作製することができる履物及びカップインソールを提供する。【解決手段】履物Ｍは、アウトソール２の上にインソール１を設けた履物Ｍであって、インソール１は、足裏面に掛かった体重により足裏面の凹凸形状に沿って塑性変形して上面に足裏面凹凸形状を形成するシート状の中芯部材１２と、平面視、中芯部材１２と同一形状で、中芯部材１２の下に位置し、中芯部材１２より硬く、中芯部材１２を支持するシート状の支持部材１１と、少なくとも中芯部材１２の上面を覆う被覆部材１３とを備え、中芯部材１２と支持部材１１との当接面が接着剤で接着されているものである。【選択図】図１
2008099948.tif 000002
【特許請求の範囲】
【請求項１】
アウトソールの上にインソールを設けた履物であって、前記インソールは、
足裏面に掛かった体重により足裏面の凹凸形状に沿って塑性変形して上面に足裏面凹凸形状を形成するシート状の中芯部材と、
平面視、前記中芯部材と同一形状で、前記中芯部材の下に位置し、前記中芯部材より硬く、前記中芯部材を支持するシート状の支持部材と、
少なくとも前記中芯部材の上面を覆う被覆部材とを備え、
前記中芯部材と前記支持部材との当接面が接着剤で接着されていることを特徴とする履物。
【請求項２】
アウトソールの上にインソールを設けた履物であって、前記インソールは、
足裏面に掛かった体重により足裏面の凹凸形状に沿って塑性変形して上面に足裏面凹凸形状を形成するシート状の中芯部材と、
平面視、前記中芯部材と同一形状で、前記中芯部材の下に位置し、前記中芯部材より硬く、前記中芯部材を支持するシート状の支持部材と、
前記中芯部材の上面を覆うと共に周縁を折り返して前記支持部材の下面に位置する被覆部材と、この被覆部材の折り返しと前記支持部材との当接面が接着剤で接着されていることを特徴とする履物。
【請求項３】
踵と土踏まずとの境に対応した部位に設けられ、被覆部材に向かって突出して踵の移動を阻止する阻止部材を、中芯部材と支持部材の間、または、前記支持部材とアウトソールの間に設けたことを特徴とする請求項１または請求項２記載の履物。
【請求項４】
足裏面に掛かった体重により足裏面の凹凸形状に沿って塑性変形して上面に足裏面凹凸形状を形成するシート状の中芯部材と、
平面視、前記中芯部材と同一形状で、前記中芯部材の下に位置し、前記中芯部材より硬く、前記中芯部材を支持するシート状の支持部材と、
少なくとも前記中芯部材の上面を覆う被覆部材とを備え、前記中芯部材と前記支持部材との当接面が接着剤で接着されていることを特徴とするカップインソール。
【請求項５】
足裏面に掛かった体重により足裏面の凹凸形状に沿って塑性変形して上面に足裏面凹凸形状を形成するシート状の中芯部材と、
平面視、前記中芯部材と同一形状で、前記中芯部材の下に位置し、前記中芯部材より硬く、前記中芯部材を支持するシート状の支持部材と、
前記中芯部材の上面を覆うと共に周縁を折り返して前記支持部材の下面に位置する被覆部材と、この被覆部材の折り返しと前記支持部材との当接面が接着剤で接着されていることを特徴とするカップインソール。
【請求項６】
踵と土踏まずとの境に対応した部位に設けられ、被覆部材に向かって突出して踵の移動を阻止する阻止部材を、中芯部材と支持部材の間、または、前記支持部材の下側に設けたことを特徴とする請求項４または請求項５記載のカップインソール。
【発明の詳細な説明】
【技術分野】
【０００１】
本発明は、足裏面に掛かった体重により足裏面の凹凸形状に沿って塑性変形して上面に足裏面凹凸形状を形成するインソールを備えた履物、及び、足裏面に掛かった体重により足裏面の凹凸形状に沿って塑性変形して上面に足裏面凹凸形状を形成するカップインソールに関する。
【背景技術】
【０００２】
履物は、接地したときの衝撃を吸収して足への負担を軽減させる作用を有すると共に、長時間使用しても疲労しないことなどが要求されるため、身体のバランスが崩れないように各人の足裏面の凹凸形状に合ったインソールが望まれている。
【０００３】
従来、足裏面に掛かった体重により足裏面の凹凸形状に沿って塑性変形をして上面に足裏面の凹凸形状を形成できるスポンジをインソールの中芯部材として用いた履物（特許文献１参照）や、足裏面の凹凸形状に沿って塑性変形させる具体的な材料として、所定割合の低密度ポリエチレンとエチレン酢酸ビニル共重合体を含有する樹脂組成物を発泡させ、得られた樹脂発泡体を用いて中芯部材とする履物が提案されている（特許文献２参照）。
【特許文献１】実用新案登録  第３０９７５１７号
【特許文献２】特許  第３８５１９２１号
【０００４】
これらのものは、図９および図１０に示したように、アウトソール８上に設けられたインソール７の中芯部材７２の外周縁に、この中芯部材７２よりも硬い材料からなる外芯部材７１を設けて中芯部材７２が略水平方向に変形するのを防止しインソール７の外形を維持するものである。
【０００５】
しかしながら、これらのものにあっては、略足形形状の中芯部材７２の外周縁に額縁状の外芯部材７１を接着剤で貼り合わせており、特に、外芯部材７１および中芯部材７２は共にシート状の部材で腰が無く、作業性が悪いため履物の作製に手間が掛かるという問題があった。
【発明の開示】
【発明が解決しようとする課題】
【０００６】
本発明は、上述の問題を解消する履物及びカップインソールを提供することを目的としている。
【課題を解決するための手段】
【０００７】
請求項１に係る発明は、アウトソールの上にインソールを設けた履物であって、前記インソールは、足裏面に掛かった体重により足裏面の凹凸形状に沿って塑性変形して上面に足裏面凹凸形状を形成するシート状の中芯部材と、平面視、前記中芯部材と同一形状で、前記中芯部材の下に位置し、前記中芯部材より硬く、前記中芯部材を支持するシート状の支持部材と、少なくとも前記中芯部材の上面を覆う被覆部材とを備え、前記中芯部材と前記支持部材との当接面が接着剤で接着されている履物である。
【０００８】
請求項２に係る発明は、アウトソールの上にインソールを設けた履物であって、前記インソールは、足裏面に掛かった体重により足裏面の凹凸形状に沿って塑性変形して上面に足裏面凹凸形状を形成するシート状の中芯部材と、平面視、前記中芯部材と同一形状で、前記中芯部材の下に位置し、前記中芯部材より硬く、前記中芯部材を支持するシート状の支持部材と、前記中芯部材の上面を覆うと共に周縁を折り返して前記支持部材の下面に位置する被覆部材と、この被覆部材の折り返しと前記支持部材との当接面が接着剤で接着されている履物である。
【０００９】
請求項３に係る発明は、請求項１または請求項２記載の履物において、踵と土踏まずとの境に対応した部位に設けられ、被覆部材に向かって突出して踵の移動を阻止する阻止部材を、中芯部材と支持部材の間、または、前記支持部材とアウトソールの間に設けたものである。
【００１０】
請求項４に係る発明は、足裏面に掛かった体重により足裏面の凹凸形状に沿って塑性変形して上面に足裏面凹凸形状を形成するシート状の中芯部材と、平面視、前記中芯部材と同一形状で、前記中芯部材の下に位置し、前記中芯部材より硬く、前記中芯部材を支持するシート状の支持部材と、少なくとも前記中芯部材の上面を覆う被覆部材とを備え、前記中芯部材と前記支持部材との当接面が接着剤で接着されているカップインソールである。
【００１１】
請求項５に係る発明は、足裏面に掛かった体重により足裏面の凹凸形状に沿って塑性変形して上面に足裏面凹凸形状を形成するシート状の中芯部材と、平面視、前記中芯部材と同一形状で、前記中芯部材の下に位置し、前記中芯部材より硬く、前記中芯部材を支持するシート状の支持部材と、前記中芯部材の上面を覆うと共に周縁を折り返して前記支持部材の下面に位置する被覆部材と、この被覆部材の折り返しと前記支持部材との当接面が接着剤で接着されているカップインソールである。
【００１２】
請求項６に係る発明は、請求項４または請求項５記載のカップインソールにおいて、踵と土踏まずとの境に対応した部位に設けられ、被覆部材に向かって突出して踵の移動を阻止する阻止部材を、中芯部材と支持部材の間、または、前記支持部材の下側に設けたものである。
【発明の効果】
【００１３】
請求項１に記載の履物によれば、中芯部材と支持部材が平面視同一形状であるため、シート状の中芯部材と支持部材とを重ね合わせて積層し、両者の当接面を接着剤で接着するという簡易な手段で中芯部材と支持部材を一体的に形成することができ、各人の足裏面の凹凸形状に合わせることができるインソールを備えた履物を簡易に作製することができる。また、中芯部材と支持部材とは、一体的に形成されているため、中芯部材の略水平方向への変形を支持部材により拘束して防止することができる。
【００１４】
請求項２に記載の履物によれば、中芯部材と支持部材が平面視同一形状であるため、シート状の中芯部材と支持部材とを重ね合わせて積層し、被覆部材により中芯部材の上面を覆うと共に、この被覆部材の周縁を折り返して支持部材の下面との当接面を接着剤で接着するという簡易な手段で中芯部材と支持部材を一体的に形成することができ、各人の足裏面の凹凸形状に合わせることができるインソールを備えた履物を簡易に作製することができる。また、中芯部材と支持部材とは、一体的に形成されているため、中芯部材の略水平方向への変形を支持部材により拘束して防止することができる。
【００１５】
請求項３に記載の履物によれば、請求項１または請求項２記載の発明の効果に加え、被覆部材に向かって突出して踵の移動を阻止する阻止部材を、踵と土踏まずとの境に対応した部位であって、中芯部材と支持部材の間、または、支持部材とアウトソールの間に設けたため、踵が移動するのを防いでインソールの上面に形成された各人の足裏面形状に合致させることができる。
【００１６】
請求項４に記載のカップインソールによれば、中芯部材と支持部材が平面視同一形状であるため、シート状の中芯部材と支持部材とを重ね合わせて積層し、両者の当接面を接着剤で接着するという簡易な手段で中芯部材と支持部材を一体的に形成することができ、各人の足裏面の凹凸形状に合わせることができるカップインソールを簡易に作製することができる。また、中芯部材と支持部材とは、一体的に形成されているため、中芯部材の略水平方向への変形を支持部材により拘束して防止することができる。
【００１７】
請求項５に記載のカップインソールによれば、中芯部材と支持部材が平面視同一形状であるため、シート状の中芯部材と支持部材とを重ね合わせて積層し、被覆部材により中芯部材の上面を覆うと共に、この被覆部材の周縁を折り返して支持部材の下面との当接面を接着剤で接着するという簡易な手段で中芯部材と支持部材を一体的に形成することができ、各人の足裏面の凹凸形状に合わせることができるカップインソールを簡易に作製することができる。また、中芯部材と支持部材とは、一体的に形成されているため、中芯部材の略水平方向への変形を支持部材により拘束して防止することができる。
【００１８】
請求項６に記載のカップインソールによれば、請求項４または請求項５記載の発明の効果に加え、被覆部材に向かって突出して踵の移動を阻止する阻止部材を、踵と土踏まずとの境に対応した部位であって、中芯部材と支持部材の間、または、支持部材の下側に設けたため、踵が移動するのを防いでカップインソールの上面に形成された各人の足裏面形状に合致させることができる。
【発明を実施するための最良の形態】
【００１９】
本発明を実施するための最良の形態を以下に示す。
【実施例１】
【００２０】
本発明の履物の実施例について、図１〜図４に基づき説明する。Ｍは本発明に係る履物であり、履物Ｍはアウトソール２と、このアウトソール２上に設けられたインソール１とを備えている。インソール１とアウトソール２は、例えば、接着剤により接着されている。また、必要に応じ、履物Ｍには、甲被部材３やヒール４が設けられる。
【００２１】
インソール1は、図１に示したように、シート状の中芯部材１２と、平面視、この中芯部材１２と同一形状で、中芯部材１２の下に位置するシート状の支持部材１１と、少なくとも中芯部材１２の上面を覆う被覆部材１３とを備え、中芯部材１２と支持部材１１との当接面が接着剤で接着されている。
【００２２】
中芯部材１２は、足裏面に掛かった体重により足裏面の凹凸形状に沿って塑性変形して上面に足裏面凹凸形状を形成するものであり、例えば、成形性を有する樹脂発泡体であり、より具体的には、低密度ポリエチレン（Ａ）と、エチレン酢酸ビニル共重合体（Ｂ）と、充填剤（Ｃ）と、発泡剤（Ｄ）と、架橋材（Ｅ）とを含有する樹脂組成物を発泡させた樹脂発泡体であって、低密度ポリエチレン（Ａ）とエチレン酢酸ビニル共重合体（Ｂ）との質量比が（Ａ）／（Ｂ）＝９５／５〜９０／１０である樹脂発泡体が用いられる。なお、この樹脂発泡体を用いた場合、履物Ｍを履いたときに足裏面に適度な感触を得るため、低密度ポリエチレン（Ａ）とエチレン酢酸ビニル共重合体（Ｂ）の合計質量と充填剤（Ｃ）の質量との比は（（Ａ）＋（Ｂ））／（Ｃ）＝７０／３０〜８０／２０となるようにするのが好ましい。
【００２３】
支持部材１１は、中芯部材１２を支持するものであり、履物Ｍの使用時に足裏面とインソール１との摩擦により中芯部材１２が略水平方向（インソール１の長手方向または／および幅方向）に変形するのを防止するため、中芯部材１２より硬い材料、例えば、エチレン酢酸ビニル共重合体（ＥＶＡ）、ポリエチレン、ポリプロピレン、ポリスチレン、ポリエチレンテレフタレート、ポリカーボネイト、カーボン等の樹脂シート、または、これらの材料を発泡させた発泡樹脂シート、天然ゴム、スチレンゴム、ウレタンゴム等のゴムシート、アルミニウム、チタン等の金属シート、ボール紙、圧縮紙等の厚紙などが用いられ、中芯部材１２と支持部材１１との当接面が接着剤で接着される。なお、接着部位は、中芯部材１２と支持部材１１の当接面全体に亘ってもよく、あるいは中芯部材１２と支持部材１１の当接面の周縁部分等のように当接面の一部であってもよい。
【００２４】
被覆部材１３は、履物Ｍの外観を良くするために化粧材料などが用いられるが、更に、当接する中芯部材１２の塑性変形に追従できるように伸縮性を有する材料であるのが好ましい。  
【００２５】
アウトソール２は、履物Ｍが地面等に接地したときに接地面の凹凸などによる衝撃を直接足に受けないように緩衝作用を持たせるものであり、ポリウレタン、エチレン酢酸ビニル共重合体、合成ゴムなどの材料が用いられる。
【００２６】
次に、本発明の履物Ｍの要部であるインソール１の製造について説明する。まず、例えば、エチレン酢酸ビニル共重合体（ＥＶＡ）を発泡させた支持部材用シートおよび上述した樹脂発泡体からなる中芯部材用シートを用い、これらのシートから支持部材１１と中芯部材１２を、それぞれ平面視同一形状となるように成形した後、重ね合わせて積層し、両者の当接面を接着剤で接着する。そして、中芯部材１２の上面に被覆部材１３を貼着してインソール１を形成する。
【００２７】
なお、インソール１の形成にあっては、前述の支持部材用シートと中芯部材用シートを予め接着剤により接着して積層した後、得られた積層物を成形し、中芯部材１２の上面に被覆部材１３を貼着してインソール１を形成したり、支持部材用シート、中芯部材用シート及び被覆部材用シートを予め接着剤により接着して積層した後、得られた積層物を成形してインソール１を形成したりしてもよい。また、中芯部材１２および支持部材１１の成形方法は、公知のいずれの方法であってもよく、例えば、支持部材１１と中芯部材１２を積層し、同時に打ち抜き加工等により成形してもよい。
【００２８】
次に、本発明に係る履物Ｍの使用方法について説明する。図２（ａ）は未使用の履物Ｍを示しており、インソール１の上面は略平坦であるが、使用開始後短時間で図２（ｂ）に示したように足裏面に掛かった体重により中芯部材１２の上面が足裏面の凹凸形状に沿って塑性変形し、インソール１の上に各人の足裏面の凹凸形状が形成される。
【００２９】
ところで、上述した実施例１では、中芯部材１２と支持部材１１との当接面を接着剤で接着して固定する構成について示したが、図３に示したように、中芯部材１２と支持部材１１とを当接させ、被覆部材１３で中芯部材１２の上面を覆うと共に、被覆部材１３の周縁を折り返して支持部材１１の下面において、この被覆部材１３の折り返し１３ａと支持部材１１との当接面１１ａを接着剤で接着する構成としてもよい。
【００３０】
また、図４（ａ）に示したように、中芯部材１２と支持部材１１の間の踵ｂ２と土踏まずｂ１との境ｂ３に対応した部位に被覆部材１３に向かって突出して踵ｂ２の移動を阻止する阻止部材１４を設けたり、図４（ｂ）に示したように、支持部材１１とアウトソール２の間の踵ｂ２と土踏まずｂ１との境ｂ３に対応した部位に被覆部材１３に向かって突出して踵ｂ２の移動を阻止する阻止部材１５を設けてもよい。この阻止部材１４、１５により、足裏をインソール１の上面に形成された各人の足裏面形状に合致させることができる。なお、図４（ａ）、（ｂ）に示した履物Ｍは、未使用のものであり、便宜上、二点鎖線で足を図示し、足裏とインソール１との対応関係を示している。
【実施例２】
【００３１】
次に、本発明のカップインソールの実施例について、図５〜図８に基づき説明する。Ｎは本発明に係るカップインソールであり、カップインソールＮは、図５に示したように、シート状の中芯部材５２と、平面視、この中芯部材５２と同一形状で、中芯部材５２の下に位置するシート状の支持部材５１と、少なくとも中芯部材５２の上面を覆う被覆部材５３とを備え、中芯部材５２と支持部材５１との当接面が接着剤で接着されている。このカップインソールＮは、既製の履物ｍのインソール上に載置して用いられる。
【００３２】
なお、支持部材５１、中芯部材５２、被覆部材５３の各材料は、実施例１の支持部材１１、中芯部材１２、被覆部材１３のものと同様であり、カップインソールＮの構成および製造方法は、実施例１のインソール１のものと同様であるため、その詳細な説明は省略する。
【００３３】
次に、本発明に係るカップインソールＮの使用方法について説明する。図６（ａ）は未使用のカップインソールＮを既製の履物ｍに装着した状態を示しており、カップインソールＮの上面は略平坦であるが、使用開始後短時間で図６（ｂ）に示したように足裏面に掛かった体重により中芯部材５２の上面が足裏面の凹凸形状に沿って塑性変形し、カップインソールＮの上に各人の足裏面の凹凸形状が形成される。
【００３４】
ところで、上述した実施例２では、中芯部材５２と支持部材５１との当接面を接着剤で接着して固定する構成について示したが、図７に示したように、中芯部材５２と支持部材５１とを当接させ、被覆部材５３で中芯部材５２の上面を覆うと共に、被覆部材５３の周縁を折り返して支持部材５１の下面において、この被覆部材５３の折り返し５３ａと支持部材５１との当接面５１ａを接着剤で接着する構成としてもよい。
【００３５】
また、図８（ａ）示したように、中芯部材５２と支持部材５１の間の踵ｂ２と土踏まずｂ１との境ｂ３に対応した部位に被覆部材５３に向かって突出して踵ｂ２の移動を阻止する阻止部材５４を設けたり、図８（ｂ）示したように、支持部材５１の下側の踵ｂ２と土踏まずｂ１との境ｂ３に対応した部位に被覆部材５３に向かって突出して踵ｂ２の移動を阻止する阻止部材５５を設けてもよい。この阻止部材５４、５５により、足裏をカップインソールＮの上面に形成された各人の足裏面形状に合致させることができる。なお、図８（ａ）、（ｂ）のカップインソールＮは、履物装着前の未使用のものであり、便宜上、二点鎖線で足を図示し、足裏とカップインソールＮとの対応関係を示している。
【図面の簡単な説明】
【００３６】
【図１】本発明の実施例１の履物の一部を切断した斜視図である。
【図２】図１のＸ−Ｘ線に沿って切断した縦断面図であり、（ａ）は未使用の履物を、（ｂ）は使用時の履物を示している。
【図３】図１の履物のインソールの他の形態であり、インソールの一部を切断した斜視図である。
【図４】図１の実施例の他の形態を示した縦断面図であり、（ａ）は阻止部材を中芯部材と支持部材の間に設けた例を、（ｂ）は阻止部材を支持部材とアウトソールの間に設けた例を示している。
【図５】本発明の実施例２のカップインソールの一部を切断した斜視図である。
【図６】図５のカップインソールを履物に装着してＹ−Ｙ線に沿って切断した縦断面図であり、（ａ）は未使用のカップインソールを、（ｂ）は使用時のカップインソールを示している。
【図７】図５のカップインソールの他の形態であり、カップインソールの一部を切断した斜視図である。
【図８】図５のカップインソールの他の形態を示した縦断面図であり、（ａ）は阻止部材を中芯部材と支持部材の間に設けた未使用のカップインソールを、（ｂ）は阻止部材を支持部材の下側に設けた未使用のカップインソールを示している。
【図９】従来の履物の一部を切断した斜視図である。
【図１０】図９のＶ−Ｖ線に沿って切断した縦断面図である。
【符号の説明】
【００３７】
Ｍ      履物
Ｎ      カップインソール
１      インソール
１１    支持部材
１２    中芯部材
１３    被覆部材
１３ａ  折り返し
２      アウトソール
１４、１５  阻止部材
５１    支持部材
５２    中芯部材
５３    被覆部材
５３ａ  折り返し
５４、５５  阻止部材
【図１】
2008099948.tif 000003
【図２】
2008099948.tif 000004
【図３】
2008099948.tif 000005
【図４】
2008099948.tif 000006
【図５】
2008099948.tif 000007
【図６】
2008099948.tif 000008
【図７】
2008099948.tif 000009
【図８】
2008099948.tif 000010
【図９】
2008099948.tif 000011
【図１０】
2008099948.tif 000012